【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
通信手段を用いて少なくとも３つの機器をサーバクライアント接続し、前記機器間でデータを転送して画像を出力する画像出力システムであって、
第１機器は第２及び第３機器に対してクライアントであり、前記第１機器から前記第２機器が記憶している複数の画像ファイルの各々を特定する情報を記述したリストの送信要求を前記第２機器に送信し、
前記第２機器は、前記リストの送信要求に応じて、前記リストと前記リストの識別情報とを前記第１機器に送信し、
前記第３機器は、前記第１機器が受信したリストに基づいて出力対象として指定した画像データの送信要求を前記第１機器から受信し、当該画像データを特定する情報と前記識別情報とを前記第２機器に送信し、前記第２機器から前記画像データを取得するようにしたことを特徴とする画像出力システム。
【請求項２】
更に前記第２機器が前記画像を出力することを特徴とする請求項１に記載の画像出力システム。
【請求項３】
通信手段を用いて少なくとも３つの機器をサーバクライアント接続し、前記機器間でデータを転送して画像を出力する画像出力システムであって、
第１機器と第３機器、及び前記第２機器と第３機器とをそれぞれ前記通信手段を用いて接続し、前記第１機器及び前記第２機器は前記第３機器に対してクライアントであり、
前記第１機器は前記第３機器に対して、前記第２機器が記憶している複数の画像ファイルの各々を特定する情報を記述したリストの送信要求を送信し、
前記第３機器は、前記リストの送信要求と前記リストの識別情報とを前記第２機器に送信し、
前記第２機器は、第３機器から受信した前記リストの送信要求に応じて、前記リストのデータを前記第３機器に送信し、
前記第３機器は、前記第２機器から受信した前記リストのデータを前記第１機器に送信し、前記第３機器は、前記第１機器から出力対象として指示された画像を特定する情報を前記識別情報とともに前記第２機器に送信し、前記第２機器から前記画像データを取得して出力するようにしたことを特徴とする画像出力システム。
【請求項４】
通信手段を用いて少なくとも３つの機器をサーバクライアント接続し、前記機器間でデータを転送して画像を出力する画像出力システムであって、
第１機器と第２機器、及び第２機器と前記第３機器とをそれぞれ前記通信手段を用いて接続し、前記第１機器は前記第２機器に対してクライアントで、前記第２機器は前記第３機器に対してクライアントであり、
前記第１機器は前記第２機器に対して、前記第２機器が記憶している複数の画像ファイルの各々を特定する情報を記述したリストの送信要求を送信し、
前記第２機器は、前記リストの送信要求に応じて前記リストのデータと前記リストの識別情報とを前記第１機器に送信し、
前記第１機器は、前記第２機器から受信した前記リストのデータに基づいて、指示された出力対象の画像を特定する情報と前記識別情報とを前記第２機器に送信し、
前記第２機器は、前記第１機器から受信した出力対象の画像を特定する情報と前記識別情報とを第３機器に送信し、
前記第３機器は前記第２機器から受信した情報に基づき出力対象として指示された画像の送信要求を前記識別情報とともに前記第２機器に送信し、前記第２機器から前記画像を取得して前記画像を出力するようにしたことを特徴とする画像出力システム。
【請求項５】
前記第１機器は、デジタルカメラであることを特徴とする請求項１乃至４のいずれか１項に記載の画像出力システム。
【請求項６】
前記第２機器は、記憶装置であることを特徴とする請求項１乃至４のいずれか１項に記載の画像出力システム。
【請求項７】
前記第３機器は、プリンタ装置或は表示装置であることを特徴とする請求項１乃至４のいずれか１項に記載の画像出力システム。
【請求項８】
通信手段を用いて少なくとも３つの機器をサーバクライアント接続し、前記機器間でデータを転送して画像を出力する画像出力方法であって、
第１機器は第２及び第３機器に対してクライアントであり、前記第１機器が、前記第２機器が記憶している複数の画像ファイルの各々を特定する情報を記述したリストの送信要求を前記第２機器に送信する工程と、
前記第２機器が、前記第１機器から受信した前記リストの送信要求に応じて、前記リストと前記リストの送信要求の識別情報とを前記第１機器に送信する工程と、
前記第３機器が、前記第１機器が受信したリストに基づいて出力対象として指定された画像データの送信要求を前記第１機器から受信し、当該画像データを特定する情報と前記識別情報とを前記第２機器に送信し、クライアントである前記第２機器から前記画像データを取得する工程と、
を有することを特徴とする画像出力方法。
【請求項９】
通信手段を用いて少なくとも３つの機器をサーバクライアント接続し、前記機器間でデータを転送して画像を出力する画像出力方法であって、
第１機器と第３機器、及び前記第２機器と第３機器とをそれぞれ前記通信手段を用いて接続し、前記第１機器及び前記第２機器は前記第３機器に対してクライアントであり、
前記第１機器から前記第３機器に対して、前記第２機器が記憶している複数の画像ファイルの各々を特定する情報を記述したリストの送信要求を送信する工程と、
前記第３機器が、受信した前記リストの送信要求と前記リストの識別情報とを前記第２機器に送信する工程と、
前記第２機器が、受信した前記リストの送信要求に応じて前記リストのデータを前記第３機器に送信する工程と、
前記第３機器により、前記第２機器からの前記リストのデータを前記第１機器に送信し、これに応じて前記第１機器から出力対象として指示された画像を特定する情報を前記識別情報とともに前記第２機器に送信し、前記第２機器から前記画像を取得して前記画像を出力する工程と、
を有することを特徴とする画像出力方法。
【請求項１０】
通信手段を用いて少なくとも３つの機器をサーバクライアント接続し、前記機器間でデータを転送して画像を出力する画像出力方法であって、
第１機器と第２機器、及び第２機器と前記第３機器とをそれぞれ前記通信手段を用いて接続し、前記第１機器は前記第２機器に対してクライアントで、前記第２機器は前記第３機器に対してクライアントであり、
前記第１機器から前記第２機器に対して、前記第２機器が記憶している複数の画像ファイルの各々を特定する情報を記述したリストの送信要求を送信する工程と、
前記第２機器から、前記リストの送信要求に応じて、前記リストのデータと前記リストの識別情報とを前記第１機器に送信する工程と、
前記第１機器により、受信した前記リストのデータに基づいて出力対象として指示された画像を特定する情報を前記識別情報とともに前記第２機器に送信する工程と、
前記第２機器から、受信した出力対象の画像を特定する情報と前記識別情報とを前記第３機器に送信する工程と、
前記第３機器により、前記第２機器から受信した情報に基づいて出力対象として指示された画像の送信要求を前記識別情報とともに前記第２機器に送信し、前記第２機器から前記画像を取得して前記画像を出力する工程と、
を有することを特徴とする画像出力方法。
【請求項１１】
通信手段を用いて撮像装置及び記憶装置と接続し、前記撮像装置からの印刷指示に応じて画像を印刷する印刷装置であって、
前記撮像装置から、複数の画像ファイルの各々を特定する情報を記述したリストデータに関連付けられた印刷要求を受信する受信手段と、
受信した前記印刷要求に基づいて、前記記憶装置に対して、前記リストデータに記述された特定する情報と共に前記印刷要求で印刷対象とされた画像データの送信を要求する要求手段と、
前記要求手段による要求に応答して前記記憶装置から送信される画像データに基づいて画像を印刷する印刷手段と、
とを有することを特徴とする印刷装置。
【請求項１２】
通信手段を用いて撮像装置及び記憶装置と接続し、前記撮像装置からの印刷指示に応じて画像を印刷する印刷装置であって、
前記撮像装置から、前記記憶装置に記憶されている複数の画像ファイルの各々を特定する情報を記述したリストの送信要求を受信すると当該送信要求を前記記憶装置に送信する送信手段と、
前記送信手段による送信要求に応答して前記記憶装置から送信される前記リストを前記撮像装置に送信する手段と、
前記撮像装置において、受信した前記リストを基に生成された印刷要求を受信すると、印刷対象画像ファイルの各々を特定する情報と前記リストの識別情報とを用いて、印刷対象の画像ファイルの送信を前記記憶装置に要求する要求手段と、
前記要求手段による要求に応じて前記記憶装置から返送される画像データに基づいて画像を印刷する印刷手段と、
を有することを特徴とする印刷装置。
【請求項１３】
通信手段を用いて印刷装置及び記憶装置と接続し、前記印刷装置に対して印刷指示を出力して画像を印刷させる撮像装置であって、
前記記憶装置に対して複数の画像ファイルの各々を特定する情報を記述したリストのデータの送信を要求する要求手段と、
前記要求手段の要求に応答して前記記憶装置から送信される前記リストのデータに基づいて印刷対象の画像を選択する選択手段と、
前記選択手段により選択された画像を指定する情報を記述した要求情報を、前記リストのデータと関連付けて前記印刷装置に送信する印刷要求手段と、
とを有することを特徴とする撮像装置。
【請求項１４】
通信手段を用いて印刷装置と接続し、前記印刷装置に対して印刷指示を出力して画像を印刷させる撮像装置であって、
前記印刷装置に対して、前記印刷装置と接続されている記憶装置に記憶されている複数の画像ファイルの各々を特定する情報を記述したリストのデータの送信を要求する要求手段と、
前記要求手段の要求に応答して前記印刷装置から送信される前記リストのデータに基づいて印刷対象の画像を選択する選択手段と、
前記選択手段により選択された画像の印刷要求情報を、前記リストのデータと関連付けて前記印刷装置に要求する印刷要求手段とを有し、
前記印刷装置は、前記選択手段により選択された画像を、前記リストのデータに記述された特定する情報を用いて前記記憶装置から取得可能としたことを特徴とする撮像装置。
【請求項１５】
通信手段を用いて少なくとも１つの機器と通信する通信装置であって、
接続されている記憶装置、もしくは内蔵する記憶装置が有する複数のファイルの各々を特定する情報を記述したリストのデータを要求するためのリスト要求を、第１機器から受信するリスト要求受信手段と、
前記リスト要求に応じて前記リストのデータと当該リストのデータの識別情報とを前記第１機器に送信し、第２機器から前記識別情報が付与されたファイル送信要求を受信するファイル送信要求受信手段と、
前記ファイル送信要求に付与された前記識別情報に基づいて特定されるファイルを前記記憶装置から前記第２機器に送信する送信手段と、
を有することを特徴とする通信装置。
【請求項１６】
前記識別情報が有効であるか否かを判別し、有効な場合には前記識別情報に基づいて対応するファイルを前記第２機器に送信し、有効でない場合には有効な場合とは異なる処理を行うことを特徴とする請求項１５に記載の通信装置。
【請求項１７】
前記有効であるか否かの判断方法は、前記識別情報が前記リスト要求に応答して送信した識別情報と一致するか否かに基づくことを特徴とする請求項１６に記載の通信装置。
【請求項１８】
前記有効な場合とは異なる処理は、ファイルの送信を拒否することであることを特徴とする請求項１６に記載の通信装置。
【請求項１９】
前記第２の通信機器は、前記第１の通信機器と同一であることを特徴とする請求項１５乃至１８のいずれか１項に記載の通信装置。
【請求項２０】
通信手段を用いて少なくとも１つの外部機器と通信する通信装置であって、
前記外部機器の管理する複数のファイルの各々を特定する情報を記述したリストのデータと、当該リストのデータに対応する識別情報とを取得する取得手段と、
前記リストデータに記述されるファイルの送信を指示するために、送信すべきファイルを指定する情報と、前記識別情報とを用いた送信要求とを生成する要求生成手段と、
前記要求生成手段が生成した送信要求を外部機器に出力する出力手段と、
を有することを特徴とする通信装置。
【請求項２１】
前記通信手段はＵＳＢ，Ｂｌｕｅｔｏｏｔｈ，ＩＥＥＥ８０２．１１系無線、10/100Base-T，ＩＥＥＥ１３９４、赤外線通信のいずれかを含むことを特徴とする請求項１５乃至２０のいずれか１項に記載の通信装置。
【請求項２２】
前記出力手段は、前記送信要求を前記外部機器とは異なる外部装置に送信することを特徴とする請求項２０又は２１に記載の通信装置。
【請求項２３】
通信手段を用いて少なくとも１つの機器と通信する通信装置の制御方法であって、
接続されている記憶装置、もしくは内蔵する記憶装置が有する複数のファイルの各々を特定する情報を記述したリストの送信を要求するためのリスト要求を、第１機器から受信するリスト要求受信工程と、
前記リスト要求に応じて前記リストのデータと当該リストのデータの識別情報とを前記第１機器に送信し、第２機器から前記識別情報が付与されたファイル送信要求を受信するファイル送信要求受信工程と、
前記ファイル送信要求に付与された前記識別情報に基づいて特定されるファイルを前記記憶装置から前記第２機器に送信する送信工程と、
を有することを特徴とする通信装置の制御方法。
【請求項２４】
通信手段を用いて少なくとも１つの外部機器と通信する通信装置の制御方法であって、
前記外部機器の管理する複数のファイルの各々を特定する情報を記述したリストのデータと、当該リストのデータに対応する識別情報とを取得する取得工程と、
前記リストデータに記述されるファイルの送信を指示するために、送信すべきファイルを指定する情報と、前記識別情報とに基づく送信要求とを生成する要求生成工程と、
前記要求生成工程で生成された送信要求を外部機器に出力する出力工程と、
を有することを特徴とする通信装置の制御方法。
【請求項２５】
請求項２３又は２４に記載の制御方法をコンピュータに実行させるプログラムを記憶していることを特徴とする、コンピュータにより読み取り可能な記憶媒体。
【請求項２６】
情報処理装置であって、
外部装置に接続される記憶媒体に記録されている複数の画像の各々を特定する情報を記述したリストデータを受信する受信手段と、
前記記憶媒体に記録されている前記複数の画像のうち、出力すべき画像を指定する指定手段と、
前記指定手段により指定された画像を特定する情報を、前記リストデータに記述された特定する情報に関連付けて前記外部装置に出力する出力手段と、
を有することを特徴とする情報処理装置。
【請求項２７】
前記リストデータの出力要求を送信する送信手段を更に有し、前記出力手段は、前記送信手段が送信した前記出力要求に対応して付与される識別情報を、前記指定手段により指定された画像を特定する情報に関連付けることを特徴とする請求項２６に記載の情報処理装置。
【請求項２８】
外部装置及び、外部記憶媒体と通信する通信装置であって、
外部装置から、出力すべき画像を指定する情報を受信する受信手段と、
前記受信手段で受信された情報を、前記外部記憶媒体に記録されている複数の画像の各々を特定する情報を記述したリストデータと関連付けて、前記外部記録媒体に送信する送信手段と、
を有することを特徴とする通信装置。
【請求項２９】
前記リストデータの出力要求を送信する要求手段を更に有し、前記送信手段は、前記要求手段により要求された前記出力要求に対応して付与される識別情報を、前記受信手段で受信した情報に関連付けることを特徴とする請求項２８に記載の通信装置。
【請求項３０】
情報処理装置の情報処理方法であって、
外部装置に接続される記憶媒体に記録されている複数の画像の各々を特定する情報を記述したリストデータを受信する受信工程と、
前記記憶媒体に記録されている画像のうち、出力すべき画像を指定する指定工程と、
前記指定工程で指定された画像を特定する情報を、前記リストデータに記述された特定する情報に関連付けて前記外部装置に出力する出力工程と、
を有することを特徴とする情報処理方法。
【請求項３１】
前記リストデータの出力要求を送信する送信工程を更に有し、前記出力工程では、前記送信工程で送信した前記出力要求に対応して付与される識別情報を、前記指定工程で指定された画像を特定する情報に関連付けることを特徴とする請求項３０に記載の情報処理方法。
【請求項３２】
外部装置及び、外部記憶媒体と通信する通信装置の制御方法であって、
前記外部装置から、出力すべき画像を指定する情報を受信する受信工程と、
前記受信工程で受信された情報を、前記外部記憶媒体に記録されている複数の画像の各々を特定する情報を記述したリストデータと関連付けて、前記外部記録媒体に送信する送信工程と、
を有することを特徴とする制御方法。
【請求項３３】
前記リストデータの出力要求を送信する要求工程を更に有し、前記送信工程では、前記要求工程で送信された前記出力要求に対応して付与される識別情報を、前記受信工程で受信した情報に関連付けることを特徴とする請求項３２に記載の制御方法。
【請求項３４】
記憶装置であって、
画像データを記憶する記憶部と、
外部装置と通信する通信部と、
前記通信部を介して、前記外部装置から前記記憶部に記憶される複数の画像データの各々を特定する情報を記述したリストデータの送信要求を受信する受信手段と、
受信した前記送信要求に応じて、前記外部装置に前記リストデータを送信する送信手段と、
前記リストデータに記述される画像データに関して、前記記憶部の記憶状態の更新を制限する制限手段と、
を有することを特徴とする記憶装置。
【請求項３５】
前記制限手段は、前記送信手段が送信したリストデータに基づいた画像送信要求を受け付けるまでの間、前記画像データの更新を制限することを特徴とする請求項３４に記載の記憶装置。
【請求項３６】
画像データを記憶する記憶部と、外部装置と通信する通信部とを有する記憶装置の制御方法であって、
前記通信部を介して、前記外部装置から前記記憶部に記憶される複数の画像データの各々を特定する情報を記述したリストデータの送信要求を受信する受信工程と、
受信した前記送信要求に応じて、前記外部装置に前記リストデータを送信する送信工程と、
前記リストデータに記述される画像データに関して、前記記憶部の記憶状態の更新を制限する制限工程と、
を有することを特徴とする記憶装置の制御方法。
【請求項３７】
前記制限工程は、前記送信工程で送信したリストデータに基づいた画像送信要求を受け付けるまでの間、前記画像データの更新を制限することを特徴とする請求項３６に記載の制御方法。
【手続補正２】
【補正対象書類名】明細書
【補正対象項目名】発明の名称
【補正方法】変更
【補正の内容】
【発明の名称】画像出力システム、印刷装置、撮像装置、通信装置、情報処理装置、記憶装置と及びその方法
【手続補正３】
【補正対象書類名】明細書
【補正対象項目名】０００１
【補正方法】変更
【補正の内容】
【０００１】
本発明は、ＵＳＢインターフェースを介して少なくとも３つの機器をサーバ・クライアント接続して画像を出力する画像出力システム、印刷装置、撮像装置、通信装置、情報処理装置、記憶装置及びその方法に関するものである。尚、本明細書中においてはデジタルカメラを仮にＤＳＣ(Digital Still Camera)と略して記述することとするが、静止画撮影に限るという意味ではなく、デジタルビデオカメラのような動画も取れるカメラもデジタルカメラ（ＤＳＣ）に含まれることを前提として本説明はなされるものとする。
【手続補正４】
【補正対象書類名】明細書
【補正対象項目名】０００８
【補正方法】変更
【補正の内容】
【０００８】
本発明の一態様によれば、本願発明の画像出力システムは以下のような構成を有する。即ち、
通信手段を用いて少なくとも３つの機器をサーバクライアント接続し、前記機器間でデータを転送して画像を出力する画像出力システムであって、
第１機器は第２及び第３機器に対してクライアントであり、前記第１機器から前記第２機器が記憶している複数の画像ファイルの各々を特定する情報を記述したリストの送信要求を前記第２機器に送信し、
前記第２機器は、前記リストの送信要求に応じて、前記リストと前記リストの識別情報とを前記第１機器に送信し、
前記第３機器は、前記第１機器が受信したリストに基づいて出力対象として指定した画像データの送信要求を前記第１機器から受信し、当該画像データを特定する情報と前記識別情報とを前記第２機器に送信し、前記第２機器から前記画像データを取得するようにしたことを特徴とする。
【手続補正５】
【補正対象書類名】明細書
【補正対象項目名】０００９
【補正方法】変更
【補正の内容】
【０００９】
本発明の一態様によれば、本願発明の画像出力方法は以下のような工程を有する。即ち、
通信手段を用いて少なくとも３つの機器をサーバクライアント接続し、前記機器間でデータを転送して画像を出力する画像出力方法であって、
第１機器は第２及び第３機器に対してクライアントであり、前記第１機器が、前記第２機器が記憶している複数の画像ファイルの各々を特定する情報を記述したリストの送信要求を前記第２機器に送信する工程と、
前記第２機器が、前記第１機器から受信した前記リストの送信要求に応じて、前記リストと前記リストの送信要求の識別情報とを前記第１機器に送信する工程と、
前記第３機器が、前記第１機器が受信したリストに基づいて出力対象として指定された画像データの送信要求を前記第１機器から受信し、当該画像データを特定する情報と前記識別情報とを前記第２機器に送信し、クライアントである前記第２機器から前記画像データを取得する工程と、
を有することを特徴とする。
【手続補正６】
【補正対象書類名】明細書
【補正対象項目名】００１０
【補正方法】変更
【補正の内容】
【００１０】
本発明の一態様によれば、本願発明の印刷装置は以下のような構成を有する。即ち、
通信手段を用いて撮像装置及び記憶装置と接続し、前記撮像装置からの印刷指示に応じて画像を印刷する印刷装置であって、
前記撮像装置から、複数の画像ファイルの各々を特定する情報を記述したリストデータに関連付けられた印刷要求を受信する受信手段と、
受信した前記印刷要求に基づいて、前記記憶装置に対して、前記リストデータに記述された特定する情報と共に前記印刷要求で印刷対象とされた画像データの送信を要求する要求手段と、
前記要求手段による要求に応答して前記記憶装置から送信される画像データに基づいて画像を印刷する印刷手段と、とを有することを特徴とする。
【手続補正７】
【補正対象書類名】明細書
【補正対象項目名】００１１
【補正方法】変更
【補正の内容】
【００１１】
本発明の一態様によれば、本願発明の撮像装置は以下のような構成を有する。即ち、
通信手段を用いて印刷装置及び記憶装置と接続し、前記印刷装置に対して印刷指示を出力して画像を印刷させる撮像装置であって、
前記記憶装置に対して複数の画像ファイルの各々を特定する情報を記述したリストのデータの送信を要求する要求手段と、
前記要求手段の要求に応答して前記記憶装置から送信される前記リストのデータに基づいて印刷対象の画像を選択する選択手段と、
前記選択手段により選択された画像を指定する情報を記述した要求情報を、前記リストのデータと関連付けて前記印刷装置に送信する印刷要求手段と、とを有することを特徴とする。
【手続補正８】
【補正対象書類名】明細書
【補正対象項目名】００１２
【補正方法】変更
【補正の内容】
【００１２】
本発明の一態様によれば、本願発明の通信装置は以下のような構成を有する。即ち、
通信手段を用いて少なくとも１つの機器と通信する通信装置であって、
接続されている記憶装置、もしくは内蔵する記憶装置が有する複数のファイルの各々を特定する情報を記述したリストのデータを要求するためのリスト要求を、第１機器から受信するリスト要求受信手段と、
前記リスト要求に応じて前記リストのデータと当該リストのデータの識別情報とを前記第１機器に送信し、第２機器から前記識別情報が付与されたファイル送信要求を受信するファイル送信要求受信手段と、
前記ファイル送信要求に付与された前記識別情報に基づいて特定されるファイルを前記記憶装置から前記第２機器に送信する送信手段と、
を有することを特徴とする。
【手続補正９】
【補正対象書類名】明細書
【補正対象項目名】００１３
【補正方法】変更
【補正の内容】
【００１３】
本発明によれば、通信手段を用いて接続された複数の機器間での新規なデータのやり取りを提案できる。